(57)【要約】【課題】自動車に用いられる電気接続箱において、電線の挿入作業やコネクタの接続作業における作業性を改善し、電線のかみ込みを防止する。【解決手段】接続箱本体２の側壁２３には、側方に凹む作業凹部２４が設けられている。防水カバー３には、作業凹部２４に係合する係合凸部３４が設けられている。これにより、電線の挿入作業やコネクタの接続作業における作業性が改善され、電線のかみ込みが防止される。防水カバー３は、係合凸部３４が補強リブとして機能するため、高い強度を発現する。また、接続箱本体２に防水カバー３を嵌合して電気接続箱１を組み立てると、接続箱本体２の嵌合面Ｐ１と防水カバー３の嵌合面Ｐ２とが重ね合わさって同一平面上に存することになる。そのため、電気接続箱１は、必要以上の構造体にしなくても防水性能を確保することができる。【選択図】図２
2007181339.tif 000002
【特許請求の範囲】
【請求項１】
接続箱本体に防水カバーが嵌合された電気接続箱であって、
前記接続箱本体には、側方に凹む作業凹部が設けられ、
前記防水カバーには、前記作業凹部に係合する係合凸部が設けられていることを特徴とする電気接続箱。
【請求項２】
前記接続箱本体と前記防水カバーとの嵌合面は、同一平面上に存することを特徴とする請求項１に記載の電気接続箱。
【請求項３】
前記係合凸部は、
平坦部と、
この平坦部の左右両側にそれぞれ連続する曲線部と、
これらの曲線部にそれぞれ連続する直線部と、
これらの直線部にそれぞれ連続し、かつ前記防水カバーの側壁にそれぞれ連続する立ち上がり部と
を含むことを特徴とする請求項１または２に記載の電気接続箱。
【請求項４】
前記係合凸部は、
平坦部と、
この平坦部の下側に連続する曲線部と、
この曲線部に連続する直線部と、
この直線部に連続し、かつ前記防水カバーの側壁に連続する立ち上がり部と
を含むことを特徴とする請求項１乃至３のいずれかに記載の電気接続箱。
【発明の詳細な説明】
【技術分野】
【０００１】
本発明は、自動車に用いられるリレーブロック、ジャンクションブロック、コネクタブロック、ヒューズボックス、ＥＣＵ（電子制御ユニット）ボックスなどの電気接続箱に関するものである。
【背景技術】
【０００２】
従来、この種の電気接続箱としては、被水環境での使用を考慮して、接続箱本体に防水カバーが嵌合された構造を有するものが多用されている（例えば、特許文献１参照）。
【特許文献１】特開２００２−９５１３３号公報
【発明の開示】
【発明が解決しようとする課題】
【０００３】
しかし、これでは、電線接続部の近傍に側壁が立設されているため、電線の挿入作業やコネクタの接続作業における作業性が悪いという課題があった。
【０００４】
本発明は、こうした課題を解決することが可能な電気接続箱を提供することを目的とする。
【課題を解決するための手段】
【０００５】
まず、請求項１に係る電気接続箱の発明では、接続箱本体に防水カバーが嵌合された電気接続箱であって、前記接続箱本体には、側方に凹む作業凹部が設けられ、前記防水カバーには、前記作業凹部に係合する係合凸部が設けられていることを特徴とする。
また、請求項２に係る電気接続箱の発明では、前記接続箱本体と前記防水カバーとの嵌合面は、同一平面上に存することを特徴とする。
また、請求項３に係る電気接続箱の発明では、前記係合凸部は、平坦部と、この平坦部の左右両側にそれぞれ連続する曲線部と、これらの曲線部にそれぞれ連続する直線部と、これらの直線部にそれぞれ連続し、かつ前記防水カバーの側壁にそれぞれ連続する立ち上がり部とを含むことを特徴とする。
また、請求項４に係る電気接続箱の発明では、前記係合凸部は、平坦部と、この平坦部の下側に連続する曲線部と、この曲線部に連続する直線部と、この直線部に連続し、かつ前記防水カバーの側壁に連続する立ち上がり部とを含むことを特徴とする。
【発明の効果】
【０００６】
本発明によれば、電線の挿入作業やコネクタの接続作業における作業性を改善するとともに、電線のかみ込みを防止することができる。
【発明を実施するための最良の形態】
【０００７】
以下、本発明の実施形態を図面に基づいて説明する。
【０００８】
図１は本発明に係る電気接続箱の一実施形態を示す組立斜視図、図２は図１に示す電気接続箱の分解斜視図、図３は図１に示す電気接続箱の接続箱本体を裏側（防水カバー側）から見た斜視図、図４は防水カバーの係合凸部の正面図、図５は防水カバーの係合凸部の右側面図、図６は防水カバーの係合凸部の平面図である。
【０００９】
電気接続箱１は、図１に示すように、接続箱本体２と、この接続箱本体２の下側に嵌合される防水カバー３とから構成されている。
【００１０】
まず、接続箱本体２は、その上面に、図２に示すように、リレーやヒューズなどの回路部品（図示せず）が装着される部品装着部２１が配設されているとともに、その下面に、図３に示すように、ワイヤーハーネスのコネクタ（図示せず）が接続される電線接続部２２が配設されている。そして、電線接続部２２の周囲には側壁２３が立設されており、側壁２３には、図２に示すように、複数個（例えば、４個）の係合片２６が形成されているとともに、接続箱本体２を車体（図示せず）に取り付けるためのブラケット２５が形成されている。また、側壁２３の下端には、防水カバー３との嵌合面Ｐ１が一平面上に形成されている。さらに、側壁２３には、側方（防水カバー３の嵌合方向と直角な方向）に凹む作業凹部２４が形成されている。
【００１１】
一方、防水カバー３は、図２に示すように、長方形板状の底板３１を有しており、底板３１には側壁３３が立設されている。そして、側壁３３の上端には、接続箱本体２との嵌合面Ｐ２が一平面上に形成されている。また、側壁３３には、その上端よりやや下側に係止突条３２が周設されているとともに、ワイヤーハーネスの電線（図示せず）を引き出すためのＵ字形のワイヤーハーネス挿通溝３５が上端に開口する形で形成されている。また、側壁３３には、防水カバー３を接続箱本体２に固定するときに接続箱本体２の係合片２６に係合する複数個（例えば、４個）の係合爪３６が形成されている。さらに、側壁３３には、接続箱本体２の作業凹部２４に係合する係合凸部３４が側方（防水カバー３の嵌合方向と直角な方向）に膨出するように形成されている。
【００１２】
この係合凸部３４は、図４および図５に示すように、長方形板状の平坦部３４ａを有しており、平坦部３４ａの上端は側壁３３と面一となっている。また、係合凸部３４の下端は断面Ｓ字形に形成されている。すなわち、平坦部３４ａの下端には曲線部３４ｂが連設されており、曲線部３４ｂの下側には直線部３４ｃが連設されており、さらに、直線部３４ｃの下側には立ち上がり部３４ｄが連設されて側壁３３に連続している。また、係合凸部３４の右端は断面Ｓ字形に形成されている。すなわち、平坦部３４ａの右端には、図４および図６に示すように、曲線部３４ｅが連設されており、曲線部３４ｅの右側には直線部３４ｆが連設されており、さらに、直線部３４ｆの右側には立ち上がり部３４ｇが連設されて側壁３３に連続している。また、係合凸部３４の左端は、係合凸部３４の右端と線対称となる形で断面Ｓ字形に形成されている。
【００１３】
このように、電気接続箱１では、接続箱本体２の側壁２３の周囲に作業凹部２４が設けられているので、電線の挿入作業やコネクタの接続作業における作業性を改善するとともに、電線のかみ込みを防止することができる。
【００１４】
また、防水カバー３は、係合凸部３４が補強リブとして機能するため、高い強度を発現する。
【００１５】
さらに、接続箱本体２に防水カバー３を嵌合して電気接続箱１を組み立てると、図１に示すように、接続箱本体２の嵌合面Ｐ１と防水カバー３の嵌合面Ｐ２とが重ね合わさって同一平面上に存することになる。したがって、電気接続箱１は、必要以上の構造体にしなくても防水性能を確保することができる。
【００１６】
また、バスバー（図示せず）に特別なガイド形状を付与しなくても、雄タブ端子の配置により、音叉端子の保護およびバスバー挿入時の案内を兼ねることができる。その結果、バスバーの材料費の上昇を抑制することができる。
【００１７】
また、係合凸部３４の下端および左右両端は断面Ｓ字形に形成されているため、接続箱本体２と防水カバー３との嵌合状態が安定する。
【００１８】
なお、接続箱本体２と防水カバー３との嵌合部には、種々の防水構造を付与することができる。例えば、図７に示すように、接続箱本体２の側壁２３の下端部に、内面側を切り欠いた段付き部２７を形成するとともに、防水カバー３の側壁３３の上端に、外面側を切り欠いた段付き部３７を形成し、これらの段付き部２７、３７を互いに嵌着することにより、接続箱本体２と防水カバー３との嵌合部から内部に水が浸入することを防ぐことができる。或いはまた、図８に示すように、接続箱本体２の側壁２３の下端部に、内面側を切り欠いた段付き部２７を形成するとともに、防水カバー３の側壁３３の上端に、外面側を切り欠いた段付き部３７を形成し、さらに、この段付き部３７の内面側に防水壁３８を立設し、これらの段付き部２７、３７を互いに嵌着することにより、接続箱本体２と防水カバー３との嵌合部から内部に水分が浸入することを防ぐことができる。この場合、接続箱本体２の側壁２３の内面と防水カバー３の防水壁３８との間に隙間を設ければ、両者間を水が毛管現象で這い上がる事態を阻止することが可能となり、防水性が一層向上する。
【産業上の利用可能性】
【００１９】
本発明は、自動車、航空機、電車、製造プラント、電化製品、ＯＡ機器など各種の産業分野に広く適用することができる。
【図面の簡単な説明】
【００２０】
【図１】本発明に係る電気接続箱の一実施形態を示す組立斜視図である。
【図２】図１に示す電気接続箱の分解斜視図である。
【図３】図１に示す電気接続箱の接続箱本体を裏側（防水カバー側）から見た斜視図である。
【図４】防水カバーの係合凸部の正面図である。
【図５】防水カバーの係合凸部の右側面図である。
【図６】防水カバーの係合凸部の平面図である。
【図７】接続箱本体と防水カバーとの嵌合部の防水構造の一例を示す断面図である。
【図８】接続箱本体と防水カバーとの嵌合部の防水構造の他の例を示す断面図である。
【符号の説明】
【００２１】
１……電気接続箱
２……接続箱本体
２３……側壁
２４……作業凹部
３……防水カバー
３３……側壁
３４……係合凸部
３４ａ……平坦部
３４ｂ、３４ｅ……曲線部
３４ｃ、３４ｆ……直線部
３４ｄ、３４ｇ……立ち上がり部
Ｐ１、Ｐ２……嵌合面
【図１】
2007181339.tif 000003
【図２】
2007181339.tif 000004
【図３】
2007181339.tif 000005
【図４】
2007181339.tif 000006
【図５】
2007181339.tif 000007
【図６】
2007181339.tif 000008
【図７】
2007181339.tif 000009
【図８】
2007181339.tif 000010